(57)【要約】【課題】患者への装着時や使用時に、手術用開口部の位置が患者の処置対象の部位からずれることを防止できるドレープを提供する。【解決手段】ドレープ１００は、患者の身体の一部を覆うシート１１０と、患者の手Ｈを保持可能な空間部１２４および空間部へ患者の手を挿入可能な挿入口１２５を備える袋部１２０と、を有し、シートと袋部とは、手術用開口部１０９の周辺部で固定されることにより一体的に構成されている。【選択図】図３
2020014667.tif 000002
【特許請求の範囲】
【請求項１】
患者の体表面の一部を露出する手術用開口部を備えるドレープであって、
前記患者の身体の一部を覆うシートと、
前記患者の身体の一部を保持可能な空間部および前記空間部へ前記患者の身体の一部を挿入可能な挿入口を備える袋部と、を有し、
前記シートと前記袋部とは、前記手術用開口部の周辺部で固定されることにより一体的に構成されている、ドレープ。
【請求項２】
前記袋部は、前記挿入口へ前記身体の一部を挿入する挿入方向の先端側に設けられ、前記患者の手指の各々を個別に保持可能な手指保持部を有する、請求項１に記載のドレープ。
【請求項３】
前記袋部は、前記患者の身体の一部に対して前記挿入口の周辺部を密着させる密着部を有する、請求項１または請求項２に記載のドレープ。
【請求項４】
前記シートは、前記手術用開口部の周囲を囲むように前記シートの表面に配置され、前記シートから離間する方向に突出する凸部を有する、請求項１〜３のいずれか１項に記載のドレープ。
【請求項５】
前記シートは、前記シートの厚み方向に貫通する貫通孔を有し、
前記袋部は、前記袋部の空間部と前記袋部の外部とを連通する連通孔を有し、
前記シートおよび前記袋部は、前記貫通孔の少なくとも一部と前記連通孔の少なくとも一部とが重なるように配置されており、
前記手術用開口部は、前記貫通孔と前記連通孔により形成されている、請求項１〜４のいずれか１項に記載のドレープ。
【請求項６】
前記シートは、前記袋部に対する固定を維持した状態で折り畳みおよび展開可能である、請求項１〜５のいずれか１項に記載のドレープ。
【請求項７】
前記手術用開口部は、前記シートおよび前記袋部を前記患者に装着した状態において、前記患者の手の甲の少なくとも一部を露出させる位置に配置される、請求項１〜６のいずれか１項に記載のドレープ。
【発明の詳細な説明】
【技術分野】
【０００１】
本発明は、ドレープに関する。
【背景技術】
【０００２】
患者に対する手術を実施する際、患者の身体の一部を覆うように配置されるドレープが使用される。術者は、ドレープを使用することにより、手術中に発生した血液等の体液や手術に使用した生理食塩水等の液体が、手術台や患者の体に漏洩したり、周囲に飛散したりすることを防止できる。一般的なドレープには、患者の身体の一部を露出させる開口部が形成されたシートが備えられる（例えば、特許文献１を参照）。術者は、ドレープを使用する際、患者の身体にドレープの開口部を配置することにより、開口部を介して術野にアクセスすることが可能になる。
【先行技術文献】
【特許文献】
【０００３】
【特許文献１】特開２００７−６８５７３号公報
【発明の概要】
【発明が解決しようとする課題】
【０００４】
術者は、ドレープを使用することにより、上記のように手術中に発生した液体による手術台や患者の体の汚染を防止し得る。ただし、手術対象となる身体の部位によっては、ドレープの患者への装着時やドレープの使用時にドレープの開口部の位置がずれてしまうことがある。
【０００５】
例えば、手を走行する手掌動脈を穿刺し、その穿刺部位を介して治療を行うｄＴＲＡ（ｄｉｓｔａｌ  ｔｒａｎｓｒａｄｉａｌ  ａｐｐｒｏａｃｈ）によるカテーテル手技では、患者の手（例えば、手の甲）に対する処置を行うため、ドレープの開口部は手に配置する。ただし、手は、患者ごとに大きさが異なるうえに、手の表面は凹凸のある複雑な形状を有する。さらに、患者が手を動かした際、手の形状は変形する。そのため、術者が患者にドレープを装着する際、ドレープの開口部が処置対象の部位からずれることを防止しながらドレープを広げる作業を行うことは困難である。また、ドレープを広げて使用している間、ドレープの位置は安定しにくいため、ドレープとともに開口部の位置が処置対象の部位からずれる可能性がある。
【０００６】
本発明は、上記のような課題を鑑み、患者への装着時や使用時に、手術用開口部の位置が患者の処置対象の部位からずれることを防止できるドレープを提供することを目的とする。
【課題を解決するための手段】
【０００７】
本発明に係るドレープは、患者の体表面の一部を露出する手術用開口部を備えるドレープであって、前記患者の身体の一部を覆うシートと、前記患者の身体の一部を保持可能な空間部および前記空間部へ前記患者の身体の一部を挿入可能な挿入口を備える袋部と、を有し、前記シートと前記袋部とは、前記手術用開口部の周辺部で固定されることにより一体的に構成されている。
【発明の効果】
【０００８】
術者は、患者にドレープを装着する際、患者の身体の一部を袋部により保持した状態でシートを広げることにより、ドレープに形成された手術用開口部の位置が患者の処置対象の部位からずれることを防止できる。また、ドレープは、患者に装着されている間、患者の身体の一部を袋部で保持した状態で使用される。ドレープのシートは、袋部と固定されているため、シートの位置が安定する。それにより、ドレープは、手術中に、手術用開口部の位置が患者の処置対象の部位からずれることを防止できる。
【図面の簡単な説明】
【０００９】
【図１】第１実施形態に係るドレープを患者に装着した状態を示す斜視図である。
【図２】第１実施形態に係るドレープのシートが折り畳まれた状態を示す図である。
【図３】第１実施形態に係るドレープのシートが広げられた状態を示す図である。
【図４】図４（Ａ）〜図４（Ｃ）は、第１実施形態に係るドレープのシートの折り畳み手順を説明するための図である。
【図５Ａ】図３に示す矢印５−５線に対応するドレープの断面図である。
【図５Ｂ】ドレープの袋部に患者の身体の一部を挿入した状態を示す断面図である。
【図６】第１実施形態に係るドレープの凸部を説明するための斜視図である。
【図７】第１実施形態の変形例に係るドレープのシートが折り畳まれた状態を示す図である。
【図８】図８（Ａ）〜図８（Ｃ）は、第１実施形態の変形例に係るドレープのシートの折り畳み手順を説明するための図である。
【図９】第２実施形態に係るドレープの使用例を示す図である。
【図１０】図９に示す矢印１０−１０線に沿う断面図である。
【００１０】
以下、添付した図面を参照しながら、本発明の実施形態を説明する。なお、以下の記載は特許請求の範囲に記載される技術的範囲や用語の意義を限定するものではない。また、図面の寸法比率は説明の都合上誇張されており、実際の比率とは異なる場合がある。
【００１１】
（第１実施形態）
図１〜図６は、本発明の第１実施形態に係るドレープ１００を説明するための図である。図１は、ドレープ１００の使用状態を示す斜視図、図２、図３は、ドレープ１００の一部を拡大して示す図、図４は、ドレープ１００のシート１１０を折り畳む手順を説明するための図、図５Ａ、図５Ｂは、ドレープ１００の一部の断面を拡大して示す図、図６は、ドレープ１００の凸部１１５の使用例を説明するための斜視図である。
【００１２】
図１に示すように、ドレープ１００は、例えば、患者Ｐの前腕部Ａよりも手指側に位置する手Ｈを走行する手掌動脈（深掌動脈）の橈骨動脈側（例えば、スナッフボックス周辺の動脈又はスナッフボックスよりも指先側を走行する遠位橈骨動脈）に対する手技（いわゆる、ｄＴＲＡ）を行う際に使用することができる。
【００１３】
以下、本明細書では、患者Ｐの手Ｈの甲Ｈｂ側を走行する手掌動脈に対して各種の処置を行う手技にドレープ１００を使用する実施形態を説明する。ただし、ドレープ１００の使用対象となる患者Ｐの身体の部位や具体的な手術内容等は、明細書内において説明するものに限定されない。
【００１４】
図１〜図３に示すように、本実施形態に係るドレープ１００は、患者Ｐの身体の一部を覆うシート１１０と、患者Ｐの手Ｈを保持可能な空間部１２４および空間部１２４へ患者Ｐの手Ｈを挿入可能な挿入口１２５を備える袋部１２０と、を有している。図５に示すように、シート１１０と袋部１２０は、患者Ｐの手Ｈの体表面の一部を露出する手術用開口部１０９の周辺部で固定されることにより一体的に構成されている。
【００１５】
＜シート＞
図１に示すように、シート１１０は、ドレープ１００を使用する際、患者Ｐの身体の一部を覆うように配置される。本実施形態に係るシート１１０は、図１に示す使用状態（シート１１０を広げた状態）において、所定の面積を有する矩形形状に形成している。なお、広げた状態におけるシート１１０の形状は矩形形状に限定されず、例えば、円形、楕円形、その他の形状で形成することも可能である。
【００１６】
図２には、シート１１０が折り畳まれた状態のドレープ１００の一部を示している。図２では、患者Ｐの手Ｈを袋部１２０に挿入した状態を示している。図３には、シート１１０を広げた状態のドレープ１００の一部を示している。図３では、患者Ｐの手Ｈを袋部１２０に挿入した状態を示している。図５Ａ、図５Ｂには、図３に示す矢印５−５線に沿うドレープ１００の断面図を示している。図５Ａは、図３に対応する断面図であって、袋部１２０に手Ｈを挿入していない状態を示す図であり、図５Ｂは、図３に対応する断面図であって、袋部１２０に手Ｈを挿入した状態の断面図である。
【００１７】
シート１１０は、手Ｈに装着する前の状態（例えば、搬送や保管されている使用前の状態）や、手Ｈには装着されているが、手術が行われる前の状態では、図２に示すように、所定の形状に折り畳むことができる。シート１１０を折り畳む手順は後述する。
【００１８】
図１、図２、図３に示すように、手術用開口部１０９は、例えば、円形に形成できる。ドレープ１００をｄＴＲＡの手技に用いる場合、手術用開口部１０９は、ドレープ１００において患者Ｐの手Ｈの甲Ｈｂの少なくとも一部を露出させることが可能な任意の位置に配置することができる。
【００１９】
シート１１０は、当該シート１１０が広げられた状態で矩形形状を有するように形成されている場合、例えば、広げた状態の一辺が１０００ｍｍ〜３０００ｍｍを有し、かつ、広げた状態の面積が３×１０６ｍｍ２〜６×１０６ｍｍ２を有するように形成することができる。また、手術用開口部１０９が円形を有する場合であって、ドレープ１００の使用用途がｄＴＲＡの手技である場合、手術用開口部１０９は、例えば、２０ｍｍ〜５０ｍｍの直径を有するように形成することができる。
【００２０】
シート１１０は、図５Ａ、図５Ｂに示すように、袋部１２０に対向して配置される第１の層１１１と、第１の層１１１の袋部１２０と対向して配置される側の面と反対側の面に配置された第２の層１１２と、を有している。
【００２１】
第１の層１１１は、シート１１０に吸収された液体が患者Ｐの体表面に接触して手術台や患者Ｐの身体を汚染することを防止可能な防水性および抗菌性を備えるシートで構成している。第２の層１１２は、血液等の体液や生理食塩水等の液体を吸収可能な吸収性を備えるシートで構成している。
【００２２】
図５Ａ、図５Ｂに示すように、第１の層１１１において袋部１２０に対向して配置される側の面は、シート１１０の裏面（内面）１１０ｂを形成している。また、第２の層１１２において第１の層１１１と対向して配置される側の面と反対側の面は、シート１１０の表面（外面）１１０ａを形成している。
【００２３】
第１の層１１１は、液体吸収性を備えた材料で形成されていれば特に限定されない。例えば、液体吸収性を備える織布、不織布（ＳＭＳ：Ｓｐｕｎｂｏｎｄ  Ｍｅｌｔ  ｂｌｏｗｎ  Ｓｐｕｎｂｏｎｄ  Ｎｏｎｗｏｖｅｎｓを含む）、綿、パルプ、化学繊維、高吸水性高分子（例えば、ポリアクリル酸ナトリウム）等で形成されたシートを用いることができる。また、第２の層１１２は、防水性および抗菌性を備えた材料で形成されていれば特に限定されない。例えば、防水抗菌加工が施されたラミネートシート等を用いることができる。
【００２４】
図５Ａ、図５Ｂに示すように、シート１１０の裏面１１０ｂには、シート１１０と袋部１２０とを固定する固定部１３０を設けている。固定部１３０は、シート１１０の貫通孔１１９の周囲を囲むような形状で形成することができる。本実施形態では、固定部１３０は円形に形成している。固定部１３０は、例えば、接着材や、シート１１０と袋部１２０とが融着された融着部で形成することができる。
【００２５】
図５Ａに示すように、シート１１０は、シート１１０の厚み方向（図５Ａの上下方向）に貫通する貫通孔１１９を有している。袋部１２０は、袋部１２０の空間部１２４と袋部１２０の外部とを連通する連通孔１２９を有している。
【００２６】
ドレープ１００の手術用開口部１０９は、シート１１０の貫通孔１１９と袋部１２０の連通孔１２９により形成している。シート１１０および袋部１２０は、貫通孔１１９の少なくとも一部と連通孔１２９の少なくとも一部とが重なるように配置されている。
【００２７】
図５Ａ、図５Ｂに示すように、固定部１３０は、ドレープ１００が備える手術用開口部１０９の周辺部に設けている。本実施形態では、固定部１３０が設けられる手術用開口部１０９の周辺部は、シート１１０の貫通孔１１９の周辺部１１９ａおよび袋部１２０の連通孔１２９の周辺部１２９ａを含む所定の範囲を意味する。なお、シート１１０と袋部１２０が固定される手術用開口部１０９の周辺部の具体的な位置や範囲は、特に限定されない。
【００２８】
図２、図３に示すように、シート１１０の貫通孔１１９および袋部１２０の連通孔１２９は、手術用開口部１０９と同様に、円形に形成している。ただし、手術用開口部１０９、および手術用開口部１０９を形成するシート１１０の貫通孔１１９と袋部１２０の連通孔１２９の各々の形状は、患者Ｐの身体の処置対象の部位の一部をドレープ１００から露出させることが可能であれば、特に限定されない。例えば、手術用開口部１０９、貫通孔１１９、連通孔１２９の各々は、楕円形、矩形、袋部１２０を患者Ｐの手Ｈの甲Ｈｂに装着した際に、手Ｈの甲Ｈｂの凹凸に立体的に沿って配置されるような立体形状等であってもよい。また、手術用開口部１０９を形成する位置、手術用開口部１０９の大きさ、手術用開口部１０９の個数等も特に限定されない。
【００２９】
図５Ａ、図５Ｂ、図６に示すように、シート１１０は、手術用開口部１０９の周囲を囲むようにシート１１０の表面１１０ａに配置された凸部１１５を有している。
【００３０】
凸部１１５は、図６に示すように、シート１１０の表面１１０ａから離間する方向（袋部１２０が配置された側と反対側であって、図５Ａ、図５Ｂの上側）に向けて突出している。
【００３１】
凸部１１５は、図５Ａ、図５Ｂに示すように、シート１１０の表面１１０ａに配置された本体部１１５ａと、手術用開口部１０９と重なるように配置された孔部１１５ｂと、を有している。
【００３２】
本実施形態では、凸部１１５は円形に形成している。なお、凸部１１５の上面の内周縁および外周縁は湾曲した断面形状を有するように面取りしている。凸部１１５の孔部１１５ｂは、手術用開口部１０９と重なるように配置されているため、患者Ｐにドレープ１００を装着した状態において、手Ｈの甲Ｈｂの体表面は、手術用開口部１０９および孔部１１５ｂを介して外部に露出される。
【００３３】
図６に示すように、術者は、手Ｈの甲Ｈｂの体表面側から手掌動脈内へのアクセス経路を形成する際、留置針等の穿刺器具２００の針部２１０を手Ｈの甲Ｈｂの生体表面に穿刺する。術者は、針部２１０を生体表面に穿刺する際、シート１１０の表面１１０ａに配置された凸部１１５の本体部１１５ａに針部２１０を当接させる。術者は、穿刺器具２００の針部２１０を凸部１１５の本体部１１５ａに沿わせて移動させることにより、針部２１０を凸部１１５の本体部１１５ａでガイドしながら移動させることができる。術者は、凸部１１５の本体部１１５ａに針部２１０を沿わせて移動させることにより、針部２１０の生体表面への刺入位置にずれが生じることを防止できる。また、術者は、針部２１０の穿刺角度を一定に保持した状態で穿刺を行うことが可能になる。
【００３４】
凸部１１５は、穿刺器具２００の針部２１０を凸部１１５の本体部１１５ａに沿わせて移動させる際、針部２１０が凸部１１５の本体部１１５ａに対して適切に保持され得るように柔軟性を有することが好ましい。上記のように柔軟性を有するように凸部１１５を形成する場合、凸部１１５は、例えば、ポリウレタン樹脂、シリコーン樹脂、イソブチレン樹脂、ハイドロゲルなどで形成することができる。
【００３５】
凸部１１５の形状や位置は、凸部１１５の少なくとも一部が手術用開口部１０９の周囲に配置されており、手術用開口部１０９から露出した手Ｈの甲Ｈｂへ穿刺器具２００等の医療器具を案内するためのガイド部として凸部１１５の本体部１１５ａを利用し得る限り、特に限定されない。例えば、凸部１１５は、手術用開口部１０９の全周を取り囲むように配置されていなくてもよい。
【００３６】
凸部１１５は、例えば、シート１１０から分離ができないようにシート１１０と一体的に構成してもよいし、シート１１０からの分離が可能となるようにシート１１０とは別体で構成してもよい。凸部１１５をシート１１０から分離可能に構成する場合、凸部１１５においてシート１１０の表面１１０ａに対向して配置される面には、後述する粘着部１４０のような粘着性を備える部材を設けることができる。
【００３７】
本実施形態で示すように凸部１１５が手術用開口部１０９の周囲を囲むように配置されている場合、術者は、患者Ｐの手Ｈの甲Ｈｂに対する穿刺等の処置を行う際、凸部１１５の孔部１１５ｂ内に生理食塩水やエコージェルを充填させることができる。術者は、凸部１１５の孔部１１５ｂ内に生理食塩水やエコージェルを充填させることにより、穿刺をする際の超音波画像による血管の確認作業を容易に行うことが可能になる。また、本実施形態に係るドレープ１００は、図５Ｂに示すように、袋部１２０に粘着部１４０が配置されている。そのため、袋部１２０と患者Ｐの手Ｈの甲Ｈｂは、粘着部１４０により両者の間に隙間が形成されないように固定される。したがって、ドレープ１００を患者Ｐに装着した状態で、凸部１１５の孔部１１５ｂに生理食塩水やエコージェルを充填した場合に、生理食塩水やエコージェルが袋部１２０の空間部１２４内へ移動（漏洩）することを抑制できる。
【００３８】
＜シートの折り畳み方＞
シート１１０の折り畳み方は特に限定されないが、例えば、以下に説明するような手順を採用することができる。
【００３９】
図４（Ａ）〜（Ｃ）には、シート１１０の折り畳まれる前後の様子を示している。なお、図４（Ａ）〜（Ｃ）では、説明を簡便にするために、シート１１０を簡略化して図示している。
【００４０】
シート１１０は、例えば、シート１１０が袋部１２０に固定された状態で折り畳まれてもよいし、シート１１０を折り畳んだ状態で袋部１２０に固定してもよい。以下では、袋部１２０にシート１１０を固定した状態で、シート１１０を折り畳む手順を説明する。
【００４１】
図４（Ａ）に示すように、シート１１０には、例えば、所定の折り目１１６ａ、１１６ｂを予め形成しておくことができる。
【００４２】
第１の折り目１１６ａは、シート１１０の縦方向（図４（Ａ）の上下方向）に略直線状に延びる折り目である。第１の折り目１１６ａは、シート１１０の横方向（図４（Ａ）の左右方向）に所定の間隔を空けて複数形成している。第２の折り目１１６ｂは、シート１１０の横方向に略直線状に延びる折り目である。第２の折り目１１６ｂは、シート１１０の縦方向に所定の間隔を空けて複数形成している。本実施形態では、第１の折り目１１６ａと第２の折り目１１６ｂは、図４（Ａ）に示す平面図上において直交している。
【００４３】
シート１１０を折り畳む作業者は、図４（Ａ）、図４（Ｂ）に示すように、第１の折り目１１６ａに沿ってシート１１０の横方向の両端側からシート１１０の中心側に向かってシート１１０を谷折りすることにより、第１の折り畳み部１１７ａを形成する。作業者は、シート１１０の略中心位置に形成された貫通孔１１９と第１の折り畳み部１１７ａとが重ならないようにシート１１０を折り畳む。
【００４４】
次に、作業者は、図４（Ｂ）、図４（Ｃ）に示すように、第２の折り目１１６ｂに沿ってシート１１０の縦方向の両端側からシート１１０の中心側に向かってシート１１０を谷折りすることにより、第２の折り畳み部１１７ｂを形成する。作業者は、シート１１０の略中心位置に形成された貫通孔１１９と第２の折り畳み部１１７ｂとが重ならないようにシート１１０を折り畳む。
【００４５】
作業者は、上記の手順でシート１１０を折り畳むことにより、貫通孔１１９がシート１１０の各折り畳み部１１７ａ、１１７ｂと重ならないようにシート１１０を折り畳むことができる。ドレープ１００の使用に際して、シート１１０は、図４（Ｃ）に示す折り畳まれた状態で提供することができる。
【００４６】
なお、シート１１０の折り畳みと展開は、可逆的に行うことが可能である。例えば、折り畳まれたシート１１０を一旦展開した後、再度折り畳むことも可能である。
【００４７】
＜袋部＞
図２、図３に示すように、袋部１２０は、患者Ｐの手Ｈの手指ｆ１、ｆ２、ｆ３、ｆ４、ｆ５の各々を個別に保持可能な手指保持部１２６と、患者Ｐの手Ｈの甲Ｈｂおよび掌Ｈｐ（図５Ｂを参照）を覆うように配置される基部１２７と、を有している。なお、各図において、符号ｆ１は親指を示し、符号ｆ２は人差し指を示し、符号ｆ３は中指を示し、符号ｆ４は薬指を示し、符号ｆ５は小指を示す。
【００４８】
図２に示すように、手指保持部１２６は、基部１２７よりも挿入口１２５へ手Ｈを挿入する挿入方向の先端側（図２の上側）に配置している。
【００４９】
手指保持部１２６は、親指ｆ１を保持可能な第１保持部１２６ａと、人差し指ｆ２を保持可能な第２保持部１２６ｂと、中指ｆ３を保持可能な第３保持部１２６ｃと、薬指ｆ４を保持可能な第４保持部１２６ｄと、小指ｆ５を保持可能な第５保持部１２６ｅと、を有している。
【００５０】
第１保持部１２６ａは、手Ｈの親指ｆ１の付け根から指先を覆うことが可能な大きさで形成された内部空間（図示省略）を有する。同様に、他の保持部１２６ｂ、１２６ｃ、１２６ｄ、１２６ｅの各々は、手Ｈの各指ｆ２、ｆ３、ｆ４、ｆ５の付け根から指先を覆うことが可能な大きさで形成された内部空間（図示省略）を有する。
【００５１】
袋部１２０の基部１２７は、各指ｆ１、ｆ２、ｆ３、ｆ４、ｆ５よりも手Ｈの基端側（図２の下側）の一定の範囲を覆うことが可能な大きさで形成された内部空間（図示省略）を有する。
【００５２】
各保持部１２６ａ、１２６ｂ、１２６ｃ、１２６ｄ、１２６ｅの内部空間と基部１２７の内部空間とは連通している。本実施形態では、各保持部１２６ａ、１２６ｂ、１２６ｃ、１２６ｄ、１２６ｅの内部空間と基部１２７の内部空間により、袋部１２０の空間部１２４が形成されている。
【００５３】
各保持部１２６ａ、１２６ｂ、１２６ｃ、１２６ｄ、１２６ｅは、例えば、各保持部１２６ａ、１２６ｂ、１２６ｃ、１２６ｄ、１２６ｅにより各指ｆ１、ｆ２、ｆ３、ｆ４、ｆ５を保持した状態において、各保持部１２６ａ、１２６ｂ、１２６ｃ、１２６ｄ、１２６ｅの内表面と各指ｆ１、ｆ２、ｆ３、ｆ４、ｆ５とが接触して、各保持部１２６ａ、１２６ｂ、１２６ｃ、１２６ｄ、１２６ｅと各指ｆ１、ｆ２、ｆ３、ｆ４、ｆ５との間で摩擦力を生じさせることが可能な形状や大きさで形成することができる。手指保持部１２６は、上記のような摩擦力を発生させることができることにより、袋部１２０を患者Ｐの手Ｈに装着した状態において、袋部１２０の位置が患者Ｐの手Ｈからずれることを効果的に防止することが可能になる。
【００５４】
各保持部１２６ａ、１２６ｂ、１２６ｃ、１２６ｄ、１２６ｅは、図２に示すように、指の付け根から指先までを覆う形状で形成している。ただし、各保持部１２６ａ、１２６ｂ、１２６ｃ、１２６ｄ、１２６ｅは、指の付け根から指先までを覆う形状で形成されていなくてもよい。各保持部１２６ａ、１２６ｂ、１２６ｃ、１２６ｄ、１２６ｅは、例えば、指の付け根側の一定の範囲のみを覆うような形状（指先を露出させる形状）であってもよい。また、保持部１２６ａ、１２６ｂ、１２６ｃ、１２６ｄ、１２６ｅの各々で形状が異なっていてもよい。
【００５５】
基部１２７は、例えば、手Ｈの甲Ｈｂおよび手Ｈの掌Ｈｐとともに手首や前腕部Ａの一部を保持し得るように、前腕部Ａ側に延びた形状を有していてもよい。また、基部１２７は、例えば、手指保持部１２６と同様に、基部１２７と手Ｈとの間で摩擦力を生じさせることが可能な形状や大きさで形成することができる。
【００５６】
図２に示すように、袋部１２０は、患者Ｐの身体の一部に対して挿入口１２５の周辺部１２５ａを密着させる密着部１２８を有している。
【００５７】
本実施形態では、密着部１２８は、患者Ｐの手首付近に対して挿入口１２５の周辺部１２５ａを密着させるように設けられている。なお、挿入口１２５の周辺部１２５ａは、挿入口１２５よりも袋部１２０の先端側（図２の上側）の所定の範囲を含む部分である。挿入口１２５の周辺部１２５ａの具体的な位置や範囲は特に限定されない。
【００５８】
密着部１２８は、例えば、袋部１２０の基部１２７に取り付けられたゴムバンドで構成することができる。密着部１２８は、挿入口１２５の周方向に沿って配置している。
【００５９】
密着部１２８は、患者Ｐの手Ｈや手首と同等または患者Ｐの手Ｈや手首よりも小さな径を有するように形成することができる。密着部１２８は、上記のように患者Ｐの手Ｈや手首と同等または患者Ｐの手Ｈや手首よりも小さな径を有することにより、患者Ｐが手Ｈを袋部１２０内に挿入した際、患者Ｐの手首付近に対して挿入口１２５の周辺部１２５ａを締め付けて密着させることができる。
【００６０】
なお、密着部１２８は、挿入口１２５の周辺部１２５ａを患者Ｐに対して締め付けることが可能な紐等で構成することも可能である。また、密着部１２８を構成するゴムバンドや紐は、袋部１２０に一体的に取り付けてもよいし、袋部１２０とは別部材で構成してもよい。
【００６１】
袋部１２０は、図５Ａ、図５Ｂに示すように、患者Ｐの体表面に対向して配置される第１の層１２１と、第１の層１２１の体表面と対向して配置される側の面と反対側の面に配置される第２の層１２２と、を有している。
【００６２】
袋部１２０の第２の層１２２においてシート１１０と対向する面１２０ａの一部は、固定部１３０を介してシート１１０に固定されている。また、袋部１２０の第１の層１２１において生体表面と対向する面１２０ｂには、粘着部１４０および剥離部材１５０が配置されている。
【００６３】
袋部１２０に形成された連通孔１２９は、袋部１２０においてシート１１０側に配置される部分を厚み方向（図５Ａ、図５Ｂの上下方向）に貫通している。袋部１２０の連通孔１２９は、シート１１０の貫通孔１１９と同様の円形に形成している。また、本実施形態では、連通孔１２９と貫通孔１１９は、平面視上において、両者の全体が重なるように配置している。
【００６４】
なお、ドレープ１００における手術用開口部１０９と挿入口１２５の相対的な位置関係は特に限定されない。ただし、手術用開口部１０９の全体が、袋部１２０の挿入口１２５よりも挿入口１２５へ手Ｈを挿入する挿入方向の先端側（図２に示す平面図上における斜め左上側）に配置されていることが好ましい。手術用開口部１０９と挿入口１２５が図２に示す平面図上において重なるように配置されたり、手術用開口部１０９と挿入口１２５が近接した位置に配置されたりすると、手術中に生じた各種の液体が手術用開口部１０９を介して袋部１２０の空間部１２４に漏洩した際、液体が挿入口１２５を介して袋部１２０の空間部１２４から外部へ漏洩し易くなる。そのため、挿入口１２５は、手術用開口部１０９が形成された位置から手Ｈの挿入方向と反対側（図２に示す平面図上における斜め右下側）へ所定の距離だけ離れた位置に配置することが好ましい。
【００６５】
図５Ａ、図５Ｂに示すように、袋部１２０には、シート１１０の手術用開口部１０９の周辺部を患者Ｐの体表面に取り付けるための粘着部１４０を配置している。
【００６６】
粘着部１４０は、手術用開口部１０９の形状に沿うような形状とすることができる。本実施形態では、手術用開口部１０９は、円形に形成しているため、粘着部１４０も円形に形成している。
【００６７】
図５Ａに示すように、ドレープ１００は、粘着部１４０に取り付けられた剥離部材１５０を有している。
【００６８】
剥離部材１５０は、ドレープ１００を使用する前の状態において、粘着部１４０を覆うように配置される。剥離部材１５０は、粘着部１４０が袋部１２０や患者Ｐの身体の体表面に付着することを防止する。
【００６９】
剥離部材１５０は、粘着部１４０を覆うことができるように、平面視上における形状が粘着部１４０と略同一に形成されている。本実施形態では、粘着部１４０は、円形に形成しているため、剥離部材１５０も円形に形成している。
【００７０】
術者は、シート１１０を患者Ｐの手Ｈに固定する際、手術用開口部１０９を介して袋部１２０の空間部１２４内に手指を挿入し、剥離部材１５０を粘着部１４０から取り外す。術者は、粘着部１４０から剥離部材１５０を取り外した後、粘着部１４０を患者Ｐの手Ｈの甲Ｈｂに接触させることにより、粘着部１４０を介してシート１１０を患者Ｐの手Ｈに固定することができる。
【００７１】
袋部１２０の第１の層１２１は、例えば、前述したシート１１０の第２の層１１２の構成材料として例示したものと同一の材料で構成することができる。また、袋部１２０の第２の層１２２は、例えば、前述したシート１１０の第１の層１１１の構成材料として例示したものと同一のもので構成することができる。
【００７２】
なお、袋部１２０の第１の層１２１および第２の層１２２の少なくとも一方は、例えば、シリコーンゴム、ラテックスゴム、その他の樹脂材料等で構成することも可能である。袋部１２０は、各層１２１、１２２が上記のような材料で構成される場合、手指保持部１２６および基部１２７に伸縮性が備えられる。そのため、袋部１２０を手Ｈに装着した際、袋部１２０が手Ｈに対して密着し、手術中に、袋部１２０の位置がずれることを効果的に防止できる。また、袋部１２０に伸縮性を備えさせるために、上記のような材料を用いる場合、袋部１２０の任意の箇所（例えば、図５Ｂに示す手Ｈの甲Ｈｂと対向する面の任意の箇所や、手Ｈの掌Ｈｐと対向する面の任意の箇所）に、体液や生理食塩水等の液体を吸収可能な吸収部材を配置することができる。吸収部材を配置する場合、吸収部材は粘着部１４０に代えて配置してもよい。
【００７３】
粘着部１４０は、例えば、シリコーン系粘着剤、アクリル系粘着剤、天然ゴム系接着剤、ビニル系接着剤等で形成することができる。粘着部１４０の粘着力（接着力）は特に限定されないが、例えば、０．３〜０．４Ｎ／１０ｍｍである。
【００７４】
剥離部材１５０は、例えば、紙、プラスチックシート、ラミネートフィルム、織布、不織布等で形成することができる。剥離部材１５０において粘着部１４０に対向して配置される面には、シリコーンの被覆を施したり、フッ素系剥離剤を塗布したりしてもよい。
【００７５】
＜ドレープの使用手順＞
次に、ドレープ１００の使用手順を説明する。以下では、ドレープ１００をｄＴＲＡの手技に使用する際の手順を説明する。
【００７６】
術者は、シート１１０が折り畳まれた状態のドレープ１００を準備する。術者は、図２に示すように、袋部１２０の空間部１２４内に患者Ｐの手Ｈを挿入する。患者Ｐの手Ｈの各指ｆ１、ｆ２、ｆ３、ｆ４、ｆ５は、各保持部１２６ａ、１２６ｂ、１２６ｃ、１２６ｄ、１２６ｅに挿入する。術者は、患者Ｐの手Ｈの甲Ｈｂおよび掌Ｈｐを袋部１２０の基部１２７内に配置する。
【００７７】
シート１１０は、患者Ｐにドレープ１００を装着する段階では、図２に示すように、手術用開口部１０９がシート１１０の外部に臨むように折り畳まれている（図４（Ｃ）を参照）。そのため、術者は、袋部１２０を患者Ｐに装着する際、手術用開口部１０９を患者Ｐの手Ｈの甲Ｈｂの所望の部位に容易に配置することができる。
【００７８】
術者が患者Ｐに袋部１２０を装着させると、図２に示すように、患者Ｐの手Ｈの甲Ｈｂの一部が手術用開口部１０９を介して外部に露出される。また、袋部１２０に設けられた密着部１２８は、患者Ｐに袋部１２０を装着させると、患者Ｐの手首付近に対して挿入口１２５の周辺部１２５ａを密着させる。また、患者Ｐの各指ｆ１、ｆ２、ｆ３、ｆ４、ｆ５は、各保持部１２６ａ、１２６ｂ、１２６ｃ、１２６ｄ、１２６ｅで個別に保持される。
【００７９】
次に、術者は、ドレープ１００の手術用開口部１０９を介して、袋部１２０に配置された粘着部１４０を覆う剥離部材１５０を取り外す。術者は、図５Ｂに示すように、粘着部１４０を患者の手Ｈの甲Ｈｂに接触させることにより、袋部１２０を患者Ｐの手Ｈに対して固定する。
【００８０】
次に、術者は、図１に示すように、患者Ｐの前腕部Ａおよび手（右手）Ｈが患者Ｐの胸部上や腹部上に配置されるように患者Ｐの体勢を整える。
【００８１】
次に、術者は、図１、図３に示すように、袋部１２０に固定されたシート１１０を広げる。術者は、患者Ｐの身体の一部（下肢、腹部、胸部等の任意の部分）がシート１１０により覆われるようにドレープ１００を配置する。
【００８２】
術者がシート１１０を広げる際、患者Ｐの手Ｈは袋部１２０の空間部１２４に保持されているため、シート１１０および袋部１２０の位置がずれることを防止できる。それにより、ドレープ１００の手術用開口部１０９が手Ｈの甲Ｈｂの処置対象の部位からずれることを防止できる。
【００８３】
術者は、以上の手順を行うことにより、ドレープ１００を患者Ｐに装着することができる。
【００８４】
ドレープ１００は、患者Ｐに対する手術が実施されている間も、患者Ｐの手Ｈを袋部１２０の空間部１２４内で安定的に保持する。そのため、手術中に患者Ｐが手Ｈを広げたり、握ったりするように動かした場合においても、シート１１０および袋部１２０の位置がずれることを防止できる。したがって、患者Ｐは、手術中に手Ｈを動かすことができるため、手術中に手Ｈを一定の姿勢に維持し続けることによる疲労を最小限に抑えることができる。それにより、患者Ｐは、手術中のストレスを軽減することができる。
【００８５】
特に、本実施形態に係るドレープ１００は、手Ｈの各指ｆ１、ｆ２、ｆ３、ｆ４、ｆ５を個別に保持することが可能な手指保持部１２６が備えられているため、患者Ｐは、手術の間も各指ｆ１、ｆ２、ｆ３、ｆ４、ｆ５を自由に動かすことができる。したがって、ドレープ１００は、患者Ｐの手術中のストレスをより一層軽減することができる。また、手指保持部１２６は、各指ｆ１、ｆ２、ｆ３、ｆ４、ｆ５を個別に保持するため、一つの空間内に全ての指ｆ１、ｆ２、ｆ３、ｆ４、ｆ５を保持する場合と比較して、空間部１２４内が蒸れるのを防止できる。
【００８６】
患者Ｐの手Ｈに対する手術を行っている間に、患者Ｐから体液が流れ出たり、術者が生理食塩水を使用したりすることがある。このとき、袋部１２０の連通孔１２９と患者Ｐの手Ｈの甲Ｈｂとの間に隙間があると、手術中に生じた各種の液体が手術用開口部１０９を介して袋部１２０の空間部１２４に漏洩することがある。ドレープ１００は、密着部１２８が患者Ｐの手首付近に対して挿入口１２５の周辺部１２５ａを密着させる。そのため、ドレープ１００は、手術中に生じた各種の液体が袋部１２０の空間部１２４に漏洩した場合であっても、手術中に生じた各種の液体が挿入口１２５を介して空間部１２４から外部へ漏洩することを防止できる。
【００８７】
また、本実施形態では、シート１１０の第２の層１１２および袋部１２０の第１の層１２１は、液体を吸収可能に形成している。そのため、ドレープ１００は、手術中に生じた各種の液体を各層１１２、１２１で吸収することができ、液体が手術台や患者Ｐの身体を汚染することを防止できる。また、ドレープ１００は、シート１１０の第１の層１１１および袋部１２０の第２の層１２２が抗菌性および防水性を備えるため、シート１１０および袋部１２０に吸収された液体が清潔野を汚染することを防止できる。なお、袋部１２０の第２の層１２２がラミネートシートで構成されている場合、袋部１２０の空間部１２４から熱が逃げにくくなるため、袋部１２０の保温性を高めることができる。
【００８８】
以上、本実施形態に係るドレープ１００は、患者Ｐの手Ｈの体表面の一部を露出する手術用開口部１０９を備えるドレープであって、患者Ｐの身体の一部を覆うシート１１０と、患者Ｐの手Ｈを保持可能な空間部１２４および空間部１２４へ患者Ｐの手Ｈを挿入可能な挿入口１２５を備える袋部１２０と、を有しており、シート１１０と袋部１２０とは、手術用開口部１０９の周辺部で固定されることにより一体的に構成されている。
【００８９】
術者は、患者Ｐにドレープ１００を装着する際、患者Ｐの手Ｈを袋部１２０により保持した状態でシート１１０を広げることにより、ドレープ１００に形成された手術用開口部１０９の位置が患者Ｐの処置対象の部位からずれることを防止できる。また、ドレープ１００は、患者Ｐに装着されている間、患者Ｐの手Ｈを袋部１２０で保持した状態で使用される。ドレープ１００のシート１１０は、袋部１２０と固定されているため、シート１１０の位置が安定する。したがって、ドレープ１００は、手術中に、手術用開口部１０９の位置が患者Ｐの処置対象の部位からずれることを防止できる。
【００９０】
また、袋部１２０は、挿入口１２５へ手Ｈを挿入する挿入方向の先端側に設けられ、患者Ｐの手指ｆ１、ｆ２、ｆ３、ｆ４、ｆ５の各々を個別に保持可能な手指保持部１２６を有している。そのため、患者Ｐは、手術の間も各指ｆ１、ｆ２、ｆ３、ｆ４、ｆ５を自由に動かすことができる。したがって、ドレープ１００は、患者Ｐの手術中のストレスをより一層軽減することができる。また、手指保持部１２６は、各指ｆ１、ｆ２、ｆ３、ｆ４、ｆ５を個別に保持するため、一つの空間内に全ての指ｆ１、ｆ２、ｆ３、ｆ４、ｆ５を保持する場合と比較して、空間部１２４内が蒸れるのを防止できる。
【００９１】
また、袋部１２０は、患者Ｐの手Ｈに対して挿入口１２５の周辺部１２５ａを密着させる密着部１２８を有する。そのため、ドレープ１００は、袋部１２０に設けられた密着部１２８が患者Ｐの手首付近に対して挿入口１２５の周辺部１２５ａを密着させるため、手術中に発生した各種の液体が挿入口１２５を介して空間部１２４から外部へ漏洩することを防止できる。
【００９２】
また、シート１１０は、手術用開口部１０９の周囲を囲むようにシート１１０の表面１１０ａに配置され、シート１１０から離間する方向に突出する凸部１１５を有する。そのため、術者は、ドレープ１００を使用した手術を行っている間に、凸部１１５を針部２１０の移動をガイドするガイド部として利用することができる。術者は、凸部１１５をガイド部として利用することにより、針部２１０の刺入位置のずれが生じることを防止できる。また、術者は、針部２１０の穿刺角度を一定に保持した状態で針部２１０による穿刺を行うことも可能になる。
【００９３】
また、シート１１０は、シート１１０の厚み方向に貫通する貫通孔１１９を有し、袋部１２０は、袋部１２０の空間部１２４と袋部１２０の外部とを連通する連通孔１２９を有している。シート１１０および袋部１２０は、貫通孔１１９の少なくとも一部と連通孔１２９の少なくとも一部とが重なるように配置されており、手術用開口部１０９は、貫通孔１１９と連通孔１２９により形成されている。そのため、ドレープ１００は、貫通孔１１９が形成されたシート１１０と、連通孔１２９が形成された袋部１２０とを、手術用開口部１０９の周辺部において固定させる簡便な作業で製造することができる。
【００９４】
また、シート１１０は、袋部１２０に対する固定を維持した状態で折り畳みおよび展開可能である。そのため、シート１１０をコンパクトに折り畳んだ状態で患者Ｐへのドレープ１００の装着作業や、ドレープ１００の搬送、保管等を行うことができる。
【００９５】
また、手術用開口部１０９は、シート１１０および袋部１２０を患者Ｐに装着した状態において、患者Ｐの手Ｈの甲Ｈｂの少なくとも一部を露出させる位置に配置される。術者は、手術用開口部１０９を介して患者Ｐの手Ｈの甲Ｈｂにアクセスすることにより、ｄＴＲＡの手技を円滑に進めることができる。また、術者は、手Ｈのような複雑な形状を有する部位を術野とするｄＴＲＡの手技にドレープ１００を使用することにより、手術中に手術用開口部１０９の位置が処置対象の部位からずれることを好適に防止することができる。
【００９６】
（第１実施形態の変形例）
次に、第１実施形態の変形例に係るドレープ３００を説明する。本変形例の説明では、第１実施形態で既に説明した構成等についての詳細な説明は省略する。また、本変形例の説明で特に説明がない内容については、第１実施形態と同一のものとすることができる。
【００９７】
図７は、第１実施形態の変形例に係るドレープ３００の袋部１２０を患者Ｐの手Ｈに装着した際の様子を示す図である。図８は、ドレープ３００のシート３１０の折り畳み手順を説明するための図である。なお、図７は、シート３１０を広げる前の状態を示している。
【００９８】
変形例に係るドレープ３００は、シート３１０の折り畳み方が前述した第１実施形態と相違する。以下、図８を参照して、シート３１０の折り畳み方を説明する。
【００９９】
図８（Ａ）に示すように、シート３１０には、シート３１０の縦方向に延びる複数の第１の折り目１１６ａと、シート３１０の横方向に延びる複数の第２の折り目１１６ｂが形成されている。
【０１００】
シート３１０を折り畳む作業者は、図８（Ａ）、図８（Ｂ）に示すように、第１の折り目１１６ａに沿ってシート３１０の横方向の両端側からシート３１０の中心側に向かってシート３１０を谷折りすることにより、第１の折り畳み部１１７ａを形成する。作業者は、図８（Ｂ）に示すように、シート３１０の略中心位置に形成された貫通孔１１９と第１の折り畳み部１１７ａとが重なるまでシート３１０を横方向の両端側から順番に折り畳む。
【０１０１】
次に、作業者は、図８（Ｂ）に示すように、シート３１０の上下方向の両端側から第２の折り目１１６ｂに沿ってシート３１０を谷折りし、第２の折り畳み部１１７ｂを形成する。作業者は、図８（Ｃ）に示すように、シート３１０の貫通孔１１９の周囲を囲む四辺を備える矩形形状が形成されるように第２の折り目１１６ｂに沿ってシート３１０を折り畳む。なお、作業者は、図８（Ｃ）に示す状態で、例えば、シート３１０の一辺が１０ｃｍ程度になるようにシート３１０を折り畳むことができる。
【０１０２】
以上の作業を行うことにより、図７に示すように、よりコンパクトな大きさに折り畳まれた状態のシート３１０を袋部１２０上に配置することができる。このようにシート３１０を折り畳むことにより、シート３１０が挿入口１２５と重ならないように、シート３１０を袋部１２０上に配置することができる。そのため、挿入口１２５を介して患者Ｐの手Ｈを袋部１２０内へより一層容易に挿入することが可能になる。
【０１０３】
なお、シートの折り畳み手順は、第１実施形態および変形例で説明した手順のみに限定されることはない。シートは、山折りや谷折り等を組み合わせた手順で折り畳むことも可能である。また、折り畳まれた後のシートの形状、シートに形成される折り目の形状、折り目の個数等も特に限定されない。
【０１０４】
（第２実施形態）
次に、第２実施形態に係るドレープ４００を説明する。第２実施形態の説明では、第１実施形態およびその変形例で既に説明した構成等についての詳細な説明は省略する。また、第２実施形態の説明で特に説明がない内容については、第１実施形態およびその変形例と同一のものとすることができる。
【０１０５】
図９は、第２施形態に係るドレープ４００の使用例を示している。図１０は、図９に示す矢印１０−１０線に沿う断面図である。
【０１０６】
図９および図１０に示すように、ドレープ４００が備える袋部４２０は、手Ｈの各指ｆ２、ｆ３、ｆ４、ｆ５を保持可能な一つの空間部４２４を有している。また、空間部４２４には、空間部４２４に挿入した患者Ｐの人差し指ｆ２、中指ｆ３、薬指ｆ４を引っ掛けて保持することが可能な引掛部４６０を配置している。
【０１０７】
引掛部４６０は、袋部４２０の高さ方向（図１０の左右方向）に沿って延在する円柱状の部材で構成している。引掛部４６０は、例えば、袋部４２０の第１の層１２１の生体表面に向い合せて配置される側の面１２０ｂに固定することができる。引掛部４６０を袋部４２０に固定する方法は、例えば、接着や融着を採用することができる。なお、引掛部４６０の位置、大きさ、形状、個数等は、特に限定されない。
【０１０８】
患者Ｐは、手術中に、袋部４２０の空間部４２４に挿入した各指ｆ２、ｆ３、ｆ４を引掛部４６０に引っ掛けることにより、袋部４２０の空間部４２４内で手Ｈの位置がずれることを防止できる。
【０１０９】
図１０に示すように、シート４１０は、シート４１０の厚み方向（図１０の左右方向）に貫通する貫通孔４１９を有している。袋部４２０は、シート４１０の貫通孔４１９と重ねて配置された連通孔４２９と、連通孔４２９よりも手Ｈの挿入方向の基端側（図９、図１０の下側）に配置された挿入口４２５と、を有している。
【０１１０】
本実施形態に係るドレープ４００では、手術用開口部４０９は、シート４１０の貫通孔４１９と袋部４２０の連通孔４２９により形成されている。なお、手術用開口部４０９は、患者Ｐが手Ｈを袋部４２０の空間部４２４に挿入した際、図９に示すように、患者ＰのスナッフボックスＳｂが手術用開口部４０９から露出するように手術用開口部４０９の手Ｈの挿入方向の基端部が挿入口４２５付近に配置されていることが好ましい。
【０１１１】
ドレープ４００を使用する際、患者Ｐは、袋部４２０の空間部４２４内に手Ｈの各指ｆ２、ｆ３、ｆ４、ｆ５を配置しつつ、手術用開口部４０９を介して手Ｈの甲Ｈｂの一部を空間部４２４の外部に配置する。また、患者Ｐは、手術用開口部４０９を介して手Ｈの親指ｆ１をシート４１０の表面１１０ａ側に突出させる。患者Ｐは、上記のように手Ｈを配置することにより、図９、図１０に示すように、手術用開口部４０９を介してシート４１０の表面１１０ａ側に手Ｈの甲Ｈｂの一部を露出させることができる。
【０１１２】
図１０に示すように、シート４１０と袋部４２０は、手術用開口部４０９の周辺部に形成された固定部４３０を介して固定されている。本実施形態では、固定部４３０が設けられる手術用開口部４０９の周辺部は、シート４１０の貫通孔４１９の周辺部４１９ａおよび袋部４２０の連通孔４２９の周辺部４２９ａを含む所定の範囲を意味する。
【０１１３】
シート４１０と袋部４２０を固定する固定部４３０は、シート１１０の裏面（内面）１１０ｂと袋部４２０の表面（外面）１２０ａとの間に設けている。
【０１１４】
粘着部１４０は、図９、図１０に示すように、平面視上において、手術用開口部４０９の周囲を囲むように袋部４２０の裏面（内面）１２０ｂに配置している。
【０１１５】
第２実施形態に係るドレープ４００は、前述した第１実施形態に係るドレープ１００と同様に、ドレープ４００を広げる際や、ドレープ４００を使用して手術を行っている間に、手術用開口部１０９の位置が患者Ｐの処置対象の部位からずれることを防止できる。また、シート４１０は、手術用開口部４０９がシート４１０の貫通孔４１９と袋部４２０の連通孔４２９により形成されている。そのため、ドレープ４００は、貫通孔４１９が形成されたシート４１０と、連通孔４２９が形成された袋部４２０とを、手術用開口部４０９の周辺部において固定させる簡便な作業で製造することができる。
【０１１６】
また、第２実施形態に係るドレープ４００は、袋部４２０が患者Ｐの手Ｈを保持可能な一つの空間部４２４を備えている。術者は、手Ｈを袋部４２０の空間部４２４内へ挿入することでドレープ４００を患者Ｐの手Ｈに簡単に装着することが可能になる。また、患者Ｐは、手術中に、袋部４２０の空間部４２４に挿入した各指ｆ２、ｆ３、ｆ４を引掛部４６０に引っ掛けることにより、袋部４２０の空間部４２４内で手Ｈの位置がずれることを防止できる。
【０１１７】
なお、第２実施形態に係るドレープ４００は、第１実施形態で説明した各ドレープ１００、３００と同様に、シート４１０は袋部４２０に固定された状態で、折り畳みおよび展開可能に構成することが可能である。また、ドレープ４００のシート４１０には、凸部１１５を設けることも可能である。
【０１１８】
また、第２実施形態に係るドレープ４００は、例えば、次のように構成してもよい。
【０１１９】
袋部４２０は、袋部４２０の挿入口４２５がシート４１０の貫通孔４１９の基端側（図１０の下側）よりも袋部４２０内への手Ｈの挿入方向の先端側（図１０の上側）に配置されるようにシート４１０に固定することができる。すなわち、シート４１０の貫通孔４１９と袋部４２０の挿入口４２５とが、図１０に示す平面図上において重なるように配置することができる。また、上記のように袋部４２０を配置したうえで、シート４１０の貫通孔４１９と袋部４２０の挿入口４２５の一部とを固定部４３０で固定することにより、手術用開口部４０９を形成することができる。ドレープ４００は、上記のようにシート４１０の貫通孔４１９と袋部４２０の挿入口４２５とで手術用開口部４０９が形成されることにより、袋部４２０に手術用開口部４０９を形成するための連通孔を別途設ける必要がなくなる。そのため、ドレープ４００をシンプルな構造で形成することが可能になる。
【０１２０】
以上、実施形態を通じて本発明に係るドレープを説明したが、本発明は明細書において説明した内容のみに限定されるものでなく、特許請求の範囲の記載に基づいて適宜変更することが可能である。
【０１２１】
本発明に係るドレープは、手に対して実施される手術以外の手術に適用することも可能である。手に対する手術以外にドレープを使用する場合、袋部内には処置対象となる手以外の部位が挿入される。また、ドレープを使用して行われる具体的な手技の内容も特に限定されることはない。
【符号の説明】
【０１２２】
１００、３００、４００  ドレープ、
１０９、４０９  手術用開口部、
１１０、３１０、４１０  シート、
１１０ａ  シートの表面、
１１１  シートの第１の層、
１１２  シートの第２の層、
１１５  凸部、
１１５ａ  本体部、
１１５ｂ  孔部、
１１６ａ  第１の折り目、
１１６ｂ  第２の折り目、
１１７ａ  第１の折り畳み部、
１１７ｂ  第２の折り畳み部、
１１９、４１９  貫通孔、
１１９ａ、４１９ａ  貫通孔の周辺部、
１２０、４２０  袋部、
１２１  袋部の第１の層、
１２２  袋部の第２の層、
１２４、４２４  空間部、
１２５、４２５  挿入口、
１２５ａ  挿入口の周辺部、
１２６  手指保持部、
１２６ａ  第１保持部、
１２６ｂ  第２保持部、
１２６ｃ  第３保持部、
１２６ｄ  第４保持部、
１２６ｅ  第５保持部、
１２７  基部、
１２８  密着部、
１２９、４２９  連通孔、
１２９ａ、４２９ａ  連通孔の周辺部、
１３０、４３０  固定部、
１４０  粘着部、
１５０  剥離部材、
２００  穿刺器具、
２１０  針部、
４６０  引掛部、
Ａ  前腕部、
ｆ１  親指、
ｆ２  人差し指、
ｆ３  中指、
ｆ４  薬指、
ｆ５  小指、
Ｈ  手（身体の一部）、
Ｈｂ  手の甲、
Ｈｐ  手の掌、
Ｓｂ  スナッフボックス、
Ｐ  患者。
【図１】
2020014667.tif 000003
【図２】
2020014667.tif 000004
【図３】
2020014667.tif 000005
【図４】
2020014667.tif 000006
【図５Ａ】
2020014667.tif 000007
【図５Ｂ】
2020014667.tif 000008
【図６】
2020014667.tif 000009
【図７】
2020014667.tif 000010
【図８】
2020014667.tif 000011
【図９】
2020014667.tif 000012
【図１０】
2020014667.tif 000013